(57)【要約】【課題】吹出口を設けた温風暖房機の前面部にガラスを装着するときの組立性の向上と強度確保を目的とする。【解決手段】厚みｔなるガラス１２をガラス固定板１３と吹出口５のガラス押さえ面５ｂで挟み込む際、間隔ｓは厚みｔより押さえ込み幅ｐだけ小さく、ｓ＝ｔ−ｐなる関係にあるが、吹出口５の仮固定時は引っ掛け固定部５ｂのガタ幅ｒにより間隔はｓ＋ｒと広くなり、かつｒ＞ｐより、ガラス１２を容易に挿入することができる。その後、ねじ締め付けすることにより押さえ込み幅ｐで強く挟み込むことができる。【選択図】図１
2006057915.tif 000002
【特許請求の範囲】
【請求項１】
温風吹出口を前方に設けた温風暖房機において、外装の一部を構成する前面部を覆うように配設したガラスと、前記ガラスを本体に固定するためのガラス取付穴と、前記前面部を構成するとともに前記ガラスを固定するガラス固定板を備え、前記吹出口には前記ガラス下端部を固定するガラス押さえ面とガラス載置面を設けるとともに、前記ガラス固定板に引っかけて仮止め固定するための引っかけ固定部を設け、前記ガラス押さえ面と前記ガラス固定板で挟み込んで前記ガラスを固定する構成としたガラス付温風暖房機。
【請求項２】
ガラス下端部の両端面はＣ面カット形状とするとともに、このカット面に対向するガラス載置面端部にストッパーを設け、前記カット面とストッパーの間隙を所定幅以下に制限したことを特徴とする請求項１記載のガラス付温風暖房機。
【請求項３】
ガラス載置面には所定厚みの緩衝材を設け、前記緩衝材の有無によりガラスの取り付けに影響を及ぼす構成とした請求項１記載のガラス付温風暖房機。
【請求項４】
ガラスの露出した端面において、コーナー部を除く端面は光沢度合いを上げ、コーナー部の端面のみ光沢度合いを粗くして光の進入を防ぐ構成を用いたことを特徴とする請求項１記載のガラス付温風暖房機。
【発明の詳細な説明】
【技術分野】
【０００１】
本発明は、温風暖房機の外装を構成する部品にガラスを用い、その取付構成に関するものである。
【背景技術】
【０００２】
従来、この種の温風暖房機は、外装を構成する主要部品として、加工性や強度、汎用性などから樹脂や板金を用いられているのが一般的である（例えば、特許文献１参照）。
【０００３】
図７は、従来の温風暖房機の構成断面図、図８は組立構成図を示しており、以下に説明をする。
【０００４】
図７に示すように、外装を構成する主要部品として、前面部を板金からなる前板１と、後面部を板金からなる裏板２と、天面部を樹脂からなる天板３と、底部を樹脂からなる底板４と、前面部の温風の吹き出す部分を板金からなる吹出口５で構成されている。
【０００５】
一方、内部を構成する主要部品として、供給された燃料を燃焼させるバーナー６と、そのバーナー６の熱により裏板２の通気口から取り入れられた外部の空気７を加熱する燃焼室８と、その加熱された空気を温風９として吹出口５から送り出す対流ファン１０で構成されている。
【０００６】
次に、図８に示すように、組立構成として、前板１は上部の突起１ａを天板３のＬ型受け３ａに引っ掛け、かつねじ１１により前板１の取付穴１ｂを介して裏板２の取付穴２ａに締め付けて取り付ける。
【０００７】
また、ねじ１１により吹出口５の取付穴５ａを介して燃焼室８の取付穴８ａに締め付けて取り付ける。
【０００８】
以上のように、組立の容易性や加工性、強度などからねじによる固定が多い。
【特許文献１】特開平９−１３３３４８号公報
【発明の開示】
【発明が解決しようとする課題】
【０００９】
しかしながら、前記従来の構成では、前板に加工上で規制の多い素材、例えばガラスを使用するには、引っ掛けや横からのねじ締め付け構成、かつ落下や転倒などによる変形や破損を防ぐための所定の強度の確保、他材料より質量の重い特性での組立性などを考慮した構成は非常に困難であるため、使用できなかった。
【００１０】
本発明は、前記従来の課題を解決するもので、前板にガラスを使用し、かつそのガラスの周囲端面を露出するものであり、組立の容易性や所定の強度を確保する構成をとることができることを目的とする。
【００１１】
なお、加工上で規制の多い素材として陶器材料においても、同様のことが言える。
【課題を解決するための手段】
【００１２】
前記従来の課題を解決するために、本発明のガラス付温風暖房機は、温風吹出口を前方に設けた温風暖房機において、外装の一部を構成する前面部を覆うように配設したガラスと、前記ガラスを本体に固定するためのガラス取付穴と、前記前面部を構成するとともに前記ガラスを固定するガラス固定板を備え、前記吹出口には前記ガラス下端部を固定するガラス押さえ面とガラス載置面を設けるとともに、前記ガラス固定板に引っかけて仮止め固定するための引っかけ固定部を設け、前記ガラス押さえ面と前記ガラス固定板で挟み込んで前記ガラスを固定する構成としたもので、加工上での規制が多く、他材料より質量の大きいガラスの周囲端面を露出しながら前面部に固定する際、組立が器具の正常設置状態（横たわらせない使用時の状態）で下から積み重ね方式にてできることによる容易性と組立ばらつきの削減ができ、かつ固定強度の面でも従来の板金の時と同等の強度を確保することができる。
【発明の効果】
【００１３】
本発明のガラス付温風暖房機は、加工上での規制が多く、他材料より質量の大きいガラスの周囲端面を露出しながら前面部に固定する際、組立が器具の正常設置状態（横たわらせない使用時の状態）で下から積み重ね方式にてできることによる容易性と組立ばらつきの削減ができ、かつ固定強度の面でも従来の板金の時と同等の強度を確保することができる構成である。
【発明を実施するための最良の形態】
【００１４】
第１の発明は、温風吹出口を前方に設けた温風暖房機において、外装の一部を構成する前面部を覆うように配設したガラスと、前記ガラスを本体に固定するためのガラス取付穴と、前記前面部を構成するとともに前記ガラスを固定するガラス固定板を備え、前記吹出口には前記ガラス下端部を固定するガラス押さえ面とガラス載置面を設けるとともに、前記ガラス固定板に引っかけて仮止め固定するための引っかけ固定部を設け、前記ガラス押さえ面と前記ガラス固定板で挟み込んで前記ガラスを固定する構成としたもので、具体的な組立手順としては、吹出口に設けた引っ掛け固定部をガラスの内側に設けたガラス固定板の引っ掛け穴に引っ掛けて仮止め固定する。この引っ掛け固定部にはガラスの厚み方向へのガタ幅持たせたものである。
【００１５】
次に、ガラスをガラス固定板と吹出口のガラス押さえ面の間に挿入して、吹出口のガラス載置面に載せて所定の位置に配置する。その際、ガラス固定板とガラス押さえ面の間隔ｓはガラス厚みｔより所定厚みｐだけ少ないｓ＝ｔ―ｐとし、所定厚みｐ＜引っ掛け固定部のガタ幅ｒの関係とした吹出口のガタにより、ガラスの挿入は容易なものとなる。
【００１６】
そして、ガラス固定ねじによりガラスの上部周囲近傍に設けたガラス取付穴を介して締め付けて固定する。その後、吹出口のガラス押さえ面の近傍に設けた吹出口取付穴を介してガラス固定板にねじにより締め付けて、ガラス下部の一辺を吹出口のガラス押さえ面で挟み込んで固定をする。
【００１７】
第２の発明は、ガラス下端部の両端面はＣ面カット形状とするとともに、このカット面に対向するガラス載置面端部にストッパーを設け、前記カット面とストッパーの間隙を所定幅以下に制限したことを特徴とするもので、ガラスの組立時や落下、転倒時のガラスの横ずれを防止できるものである。
【００１８】
第３の発明は、ガラス載置面には所定厚みの緩衝材を設け、前記緩衝材の有無によりガラスの取り付けに影響を及ぼす構成としたもので、落下や転倒などの場合、この緩衝材によりガラスへの衝撃力を吸収して破損や割れを防止するものであり、かつ緩衝材の取り付け忘れ時はガラスのねじ締め付けはできなくなることや、ねじ位置の中心ずれにおいても緩衝材の厚みで調整できるものである。
【００１９】
第４の発明は、ガラスの露出した端面において、コーナー部を除く端面は光沢度合いを上げ、コーナー部の端面のみ光沢度合いを粗くして光の進入を防ぐ構成を用いたことを特徴とするもので、ガラスの周囲端面を露出することによりその端面より光が進入し、ガラスの周囲部は中央部付近とは違う色合いを出すが、コーナー部は光の進入角度やコーナー形状などの条件により進入した光が集中した際に、光の線がガラス内部に出る。この線は人によっては割れや傷と間違えることが考えられるためである。
【００２０】
以下、本発明の実施の形態について図面を参照して説明する。なお、本実施の形態によって本発明が限定されるものではない。
【００２１】
（実施の形態１）
図１は、本発明の第１の実施の形態におけるガラス付温風暖房機の組立構成図、図２は前面部の構成断面図である。
【００２２】
温風暖房機の作用については、従来同様のため説明を省略し、以下に組立順序に従い構成を説明する。
【００２３】
図１に示すように、温風暖房機の後面部には裏板２、天面部には天板３、底面部には底板４が各々ねじ締め付けなどにより固定されており、前面部はまず、ガラス固定板１３を上部は天板３、下部は裏板２にねじ１４により固定する。
【００２４】
次に、前面部に設ける下部の小さいガラス１５を底板４の前方に設けたほぼガタのないガラス溝４ａに嵌め込み、吹出口５の引っ掛け固定部５ａをガラス固定板１３の引っ掛け穴１３ａに引っ掛け、ガラス１５に載せるようにして吹出口５の仮固定をする。
【００２５】
その際の位置関係を図２に示すように、ガラス１２を挟み込むガラス固定板１３と吹出口５のガラス押さえ面５ｂとの間隔ｓが押さえ込み幅ｐの少ないｓ＝ｔ―ｐとなり、引っ掛け固定部５ａのガタ幅ｒにより間隔がｓ＋ｒとなり、ｒ＞ｐであることより仮固定時の間隔はガラス１２の厚みｔより広くなっていてガラス１２が挿入しやすくなっている。
【００２６】
次に、図１に示すように、ガラス１２の挟み込む下部の一辺１２ｂを仮固定した吹出口５のガラス載せ面５ｃに載せるように、ガラス固定板１３とガラス押さえ面５ｂとの間隔に挿入し、ねじ１４によりガラス１２のガラス取付穴１２ａを介してガラス固定板１３に締め付けして固定する。
【００２７】
そして、仮固定していた吹出口５をねじ１４によりガラス押さえ面５ｂ近傍にある吹出口取付穴５ｄを介してガラス固定板１３に締め付けして固定する。
【００２８】
次に、引っ掛け固定部５ａや吹出口取付穴５ｄを隠すため、カバー１６をねじ１４によりカバー取付穴１６ａを介して吹出口５に締め付けて固定する。
【００２９】
以上の組立構成により、周囲端面を露出したガラスの組立性を考慮しながら固定強度を確保できる。
【００３０】
（実施の形態２）
図３は、本発明の第２の実施の形態におけるガラス付温風暖房機の吹出口部部の構成断面図、図４はガラス取付穴部の構成断面図を示すものである。
【００３１】
図３に示すように、ガラス１２の挟み込み固定する下部の一辺の両端をＣ面形状とし、吹出口５のガラス載せ面５ｃの両端部には、Ｃ面形状に沿うように設けたストッパー５ｅを設け、ガラス１２のＣ面とストッパー５ｅとの間には隙間ｋを持たせる。
【００３２】
この隙間ｋは図４に示すように、ガラス取付穴１２ａの穴径φｈと、締め付けするねじ１４に設けた座１４ａの径φｊの差によるガラス１２のガタ幅ｇ（ｇ＝ｈ／２−ｊ／２）より小さい、ｋ＜ｇなる関係をもつ。
【００３３】
以上の組立構成により、ガラス１２の取り付けの際、ガラス取付穴の左右の位置ずれを防止することができ、かつ落下や転倒などの異常時にガラス１２が左右方向への荷重がかかりずれを生ずる際、ガラス取付穴部への負荷を低減することができる。
【００３４】
（実施の形態３）
図５は、本発明の第３の実施の形態におけるガラス付温風暖房機の前面部の構成断面図を示すものである。
【００３５】
図５に示すように、ガラス１２の挟み込み固定する下部の一辺の端面とガラス載せ面５ｃの間に、厚みｚの緩衝材１７を挟む。
【００３６】
この厚みｚは実施の形態２のガタ幅ｇより大きい、ｚ＞ｇなる関係をもつ。
【００３７】
以上の組立構成により、ガラス１２の取り付けの際、緩衝材１７の取り付けを忘れた際、ガラス取付穴１２ａが下方へ位置ずれを起こして取り付けが出来ないように、緩衝材１７取り付け忘れ防止をすることができ、かつ部品形状のばらつきによるガラス取付穴１２ａの位置ずれを緩衝材１７の厚みｚを変更することにより、比較的容易に対応できる。
【００３８】
（実施の形態４）
図６は、本発明の第４の実施の形態におけるガラス付温風暖房機のガラスの正面図を示すものである。
【００３９】
図６に示すように、ガラス１２上部両端のコーナー部の露出した端面の光沢度合いを粗くして光の進入を防ぐ。
【００４０】
なお、荒さにおいてはできるだけ光の進入を防げるほど良いため、粗ければ粗いほどよいが、デザイン性との兼ね合いともなる。
【００４１】
以上の構成により、コーナー部より進入した光によるガラス面に映し出される線が低減され、割れや傷などとの間違い防止をすることができる。
【産業上の利用可能性】
【００４２】
以上のように、本発明におけるガラス付温風暖房機は、機器前面に端面を露出し、かつ加工上での規制が多く、他材料より質量の大きいガラスを使用し、組立性の配慮と所定の固定強度を確保することが可能となる。
【図面の簡単な説明】
【００４３】
【図１】本発明の実施の形態１におけるガラス付温風暖房機の組立構成図
【図２】同ガラス付温風暖房機の前面部の構成断面図
【図３】本発明の実施の形態２におけるガラス付温風暖房機の吹出口部の構成断面図
【図４】同ガラス付温風暖房機のガラス取付穴部の構成断面図
【図５】本発明の実施の形態３におけるガラス付温風暖房機の前面部の構成断面図
【図６】本発明の実施の形態４におけるガラス付温風暖房機のガラスの正面図
【図７】従来の温風暖房機の構成断面図
【図８】従来の温風暖房機の組立構成図
【符号の説明】
【００４４】
５  吹出口
５ａ  引っかけ固定部
５ｂ  ガラス押さえ面
５ｃ  ガラス載置面
１２  ガラス
１２ａ  ガラス取付穴
１３  ガラス固定板
１３ａ  引っかけ穴
【図１】
2006057915.tif 000003
【図２】
2006057915.tif 000004
【図３】
2006057915.tif 000005
【図４】
2006057915.tif 000006
【図５】
2006057915.tif 000007
【図６】
2006057915.tif 000008
【図７】
2006057915.tif 000009
【図８】
2006057915.tif 000010